(57)【要約】【課題】構造が簡単であり、開口面積の調整が簡単に行え、かつ、開口面積を大きく設定できる風量調整部を備えた汎用性のある換気グリルを提供すること。【解決手段】開口部１５を備えた固定壁１４と、開口部１５にスライド可能に配置された可動遮断部材５から構成される。可動遮断部材５には、開口部２０を備えた遮断壁１９を設け、その遮断壁１９を固定壁１４に沿ってスライドさせることにより、開口部１５の一部または全部を遮断して開口部１５の開口面積を調整可能とした風量調整部を備えている。この固定壁１４及び遮断壁１９を円錐形状としている。【選択図】　図１
2004138263.tif 000002
【特許請求の範囲】
【請求項１】
開口部を備えた固定壁と該開口部にスライド可能に配置された可動遮断部材から構成され、
該可動遮断部材には、開口部を備えた遮断壁を設け、該遮断壁を前記固定壁に沿ってスライドさせることにより、前記開口部の一部または全部を遮断して前記開口部の開口面積を調整可能とした風量調整部を本体枠内に備え、前記固定壁及び遮断壁を円錐形状としたことを特徴とする換気グリル。
【発明の詳細な説明】
【０００１】
【発明の属する技術分野】
この発明は、壁又は天井に施工されるものであり、簡単な構造で給気又は排気口の風量調整が簡単に行える換気グリルに関する。
【０００２】
【従来の技術】
従来から、開口部を備えた固定部材とその固定部材に平行にスライド可能に配置された可動遮断部材から構成され、可動遮断部材をスライドさせることにより開口部の開口面積を調整可能とした給気口の風量調整部を本体枠内に備えた換気グリルが知られている。このような換気グリルを用いれば、空気供給装置（送風装置等）から送給される空気量や換気装置によって排気される空気量はこの開口面積を調整することにより各居室に供給される給気量や各室から排気される排気量を調整することができる。
【０００３】
しかしながら、このような従来の構成では、可動遮断部材を開口部にスライドさせることにより開口部の開口面積を調整可能としているので、開口面積は換気口の断面積に対し、最大でも５０％しか開口せず、換気風量に対し抵抗が大となるため、必要な換気量を確保するためには、換気口の径を大きくするか、中間ダクトファンの性能を上げる必要があり設備費用が大きくなるとともに、作業性が著しく悪くなるという課題があった。
【０００４】
この課題を解決するための種々の提案がなされている。
【０００５】
例えば、図１３に示すような吸込グリルの風量調整装置が提案されている（例えば、特許文献１参照。）。このような吸込グリルの風量調整装置では、室内側に面するルーバの中央部に位置して回転するつまみ（不図示）に結合した雄ネジを形成した調節ネジ１０３と、調節ネジ１０３に螺合し調節ネジ１０３の上を上下に動く可動部材１０４と、２対の回転支軸１０７にそれぞれの両側部が枢支されダクト接続体の通風路を開閉しかつ可動部材１０４の左右より一体に設けて突出させたピン１０９がスライド自在にはまる溝１０８を回転支軸１０７と直交する方向に設けた２枚の分割型のシャッター１０５，１０６とからなり、ピン１０９はその両先端間の寸法を、隣り合う回転支軸１０７の距離より大きくしたの構成としたものである。
【０００６】
また、図１４に示すような風量調整部１６０を備えた換気口も提案されている（例えば、特許文献２参照。）。このような換気口１１０では、配管（ダクト）１２０に接続される配管側連通口１３１を有する本体部１３０と、その本体部１３０の内部にスライド可能に配置されて室内側連通口１４１を有するスライド部１４０とを備え、そのスライド部１４０は、配管側連通口１３１に整合可能であるとともに室内側連通口１４１と連通する調整口１４２を備えている。風量調整部１６０は、換気経路１５０の開口面積を調整するため、スライド部１４０を本体部１３０の内部においてスライドさせることにより配管側連通口１３１と調整口１４２との重なり面積を調整可能に形成してある。
【０００７】
【特許文献１】
特公平６−５８１８１号公報（請求項１，第１図及び第２図）
【特許文献２】
特開平１０−３２５５９１号公報（請求項２及び図２）
【０００８】
【発明が解決しようとする課題】
しかしながら、特許文献１記載の風量調整装置では、部品点数も多く、構造が複雑であるとともに、調整ネジ１０３が露出しており、表面がギザ形状であり、埃が付着しやすく、調整ネジ１０３が回動しづらくなり、つまみを回す際に抵抗となり、思うように風量調整が行えないという課題がある。
【０００９】
また、特許文献２記載の換気口では、風量調整部１６０は配管側連通口１４１に設けられているので、本体部１３０が長い場合には風量調整部１６０の開口度合いを室内側連通口１４１から視認が困難な場合がある。
【００１０】
また、風量調整はスライド部１４０をスライドさせる構成であるがこのスライド部１４０は円筒状であり回転するときは押し気味となりスライド調整が困難であり、また、風量調整も不正確となる。
【００１１】
さらに、このような風量調整部１６０の構成は、円筒状の本体部１３０と円筒状の配管１２０とが配管側連通口１３１で交差している、いわゆるエルボタイプのみで構成可能であり、汎用性がない。
【００１２】
そこでこの発明は、これらの従来技術の問題点を解決するため、構造が簡単であり、開口面積の調整が簡単に行え、かつ、開口面積を大きく設定できる風量調整部を備えた汎用性のある換気グリルを提供することを目的とする。
【００１３】
【課題を解決するための手段】
請求項１記載の発明は、開口部を備えた固定壁と該開口部にスライド可能に配置された可動遮断部材から構成され、該可動遮断部材には、開口部を備えた遮断壁を設け、該遮断壁を前記固定壁に沿ってスライドさせることにより、前記開口部の一部または全部を遮断して前記開口部の開口面積を調整可能とした風量調整部を本体枠内に備え、前記固定壁及び前記遮断壁を円錐形状としたことを特徴とする換気グリルである。
【００１４】
このように構成すれば、可動遮断部材は開口部にスライド可能に配置されているので、可動遮断部材を固定壁に沿って円周方向にスライドさせることにより開口部の開口面積を所望の面積に簡単に調整することができる。
【００１５】
また、この開口部は円錐側面に設けられているので居室側から目視した開口部の見かけの面積が小さくても、この開口部の実質的な開口面積は大きいので、開口面積の大きな風量調整部を備えている。
【００１６】
また、この風量調整部は本体枠内に配置されているので、開口度合いを外部から視認しやすく、かつ、配管の構成にかかわらず、すなわち、エルボタイプに限定されずに使用することができるので汎用性のある換気グリルを提供することができる。
【００１７】
この可動遮断部材と固定壁は円錐頂点を軸心とした位置で止めねじにより固定すれば、可動遮断部材は円錐頂点を軸心とした止めねじ等の止め具により固定されるように構成したので、可動遮断部材を開口部に沿って滑らかにスライドさせることが可能となり開口面積を所望の大きさに簡単に設定することができる。また、この止め具により所望の開口面積となった状態で可動遮断部材を固定することができ、この止め具を緩めることにより、開口面積を所望の値に再調整することもできる。
【００１８】
これにより、従来技術の問題点を解決し、開口面積の大きな風量調整部を備えた換気グリルを提供することができる。
【００１９】
【発明の実施の形態】
以下、本発明の実施の形態に係る換気グリルにつき図面を参照しつつ説明する。
【００２０】
まず、図１から図３は、この発明の実施の形態に係る換気グリルを天井の一部をなす換気グリルの取付面材Ｂに取り付けた場合の状態を示した図であり、図４は換気グリルを裏面側から見た底面図である。また、図５は、換気グリルの要部の分解組み立て図であり、図６から図８はこの分解組み立て図に示される各部材を説明する斜視図である。また、図９から図１１は換気グリルを取り付けた場合の組み立て図を第三角法により示した図であり、図１２は、取付面材Ｂの厚みが異なる場合の図１に対応する断面図である。
【００２１】
これらの図において、符号１は、換気グリルであり、図５の分解組み立て図に各部材の概略が示されるように、この換気グリル１は、ダクト連設部２を備えた概略円筒状の本体枠３と、この本体枠３の室内側を覆うグリル（又はルーバ）４と、可動遮断部材５を備え、このグリル４の裏面４ａ側の外周に沿って本体枠３への固定用のフック４ｂが設けられている。
【００２２】
この本体枠３の室内側（図５では図面上側）には　水平に平面視方形に突出したフランジ部６を備え、このフランジ部６は外周に沿って裏面側に溝部７が設けられることにより周囲が補強リブ８により補強されている。
【００２３】
一方、円筒状の本体枠３はフランジ部６に連設されてグリル４のフック４ｂを収納するグリル収納枠壁９と、止め金具としてのリング板１０を挿通するための一対の開口１１を備えた止め金具を収納する収納枠壁１２と、ダクト連設部２に連設される調整収納枠壁１３とから構成され、これらの枠壁（９，１２，１３）は、フランジ部６からダクト連設部２に向けて段階的に口径が減少された円筒状である。この調整弁収納枠壁１３の基部１３ａは円筒状のダクト連設部２に一体に成形され、ダクト連設部２は配管（ダクト）１２０に連設されてこの換気グリル１に向けて空気を送給する送給設備（送風装置）に接続される。
【００２４】
この調整弁収納枠壁１３の基部１３ａから円錐状に立ち上げられて円錐固定壁１４が形成され、この円錐固定壁１４には、一対の開口部１５、１５が設けられている。この開口部１５，１５は、図４及び図９に示すように、この発明の実施の形態では、平面視、対称に一対の四半円形状の切欠として形成され、図１、図５などの断面図においては、開口部１５の切り口の状況を模式的に説明するために、部分端面図により図示されている。
【００２５】
この固定壁１４の頂部は略水平に保たれて中央にねじ１６に螺合するねじ溝１６ａを備えた固定部１７が形成されている。
【００２６】
また、可動遮断部材５は、調整弁収納枠壁１３の内周に沿って密接して摺動可能な外周筒部１８と、この外周筒部１８の基部１８ａから立ち上がって固定壁１４の外周に沿って密接して摺動可能な遮断壁１９とから大略構成され、この遮断壁１９には一対の開口部２０、２０が設けられている。この開口部２０，２０は、図４及び図９に示すように、この発明の実施の形態では、平面視、対称に一対の四半円形状の切欠として形成され、図１、図５などの断面図においては、開口部２０の切り口の状況を模式的に説明するために、部分端面図により図示されている。
【００２７】
この遮断壁１９の頂部に略水平に保たれて中央に貫通孔２１を備えた固定部２２が形成されている。
【００２８】
開口部１５，２０及び遮断壁１９は換気グリル１の空気の送給量を調整するためのものである。可動遮断部材５を本体枠３に収納させ、固定部１７に固定部２２を重合させると、円錐固定壁１４に沿って遮断壁１９は円周方向に向けてスライド可能に収納される。可動遮断部材５を円周方向に沿って円錐面をスライドさせることにより、開口部１５は、開口部２０と重合したり遮断壁１９により遮断されて開口部１５の開口面積が増減される。所望の開口面積が得られた状態で、ねじ１６を貫通孔２１から貫通させてねじ溝１６ａに螺合させることにより可動遮断部材５を本体枠３に固定することができる。
【００２９】
ここで、各開口部１５及び２０の面積は自由に設定すればよいが、好ましい実施の形態では、この開口部２０の平面視の見かけの面積は開口部１５の平面視の見かけの面積と略等しく設定されている。これにより、遮断壁１９の位置を移動させて開口部１５、１５と開口部２０、２０とが完全に重合した場合に開口部１５は実質的に遮断されずに最大の開口面積を確保することができ、また、開口部１５、１５と開口部２０、２０とを交差させた状態では開口部１５は遮断壁１９によりほぼ完全に遮断することができる。
【００３０】
また、開口部１５、２０及び遮断壁１４、１９の傾斜角度も自由に設計すればよいが、例えば、円錐の頂角を６０゜に設計することが好ましい。この場合には、開口部１５（２０）の面積は、居室側から目視した開口部１５（２０）の見かけの面積の略２倍となるので、居室側から目視した開口部１５（２０）の見かけの面積と遮断部の見かけの面積の総和が全開の場合の実質的な開口部１５（２０）の面積に等しく設計することができる。これにより、遮断壁１９を設けることにより開口部１５の面積が半減しても、全開状態での開口面積は実質的に減少することがない。
【００３１】
一方、外周筒部１８の上方はフランジ状に傾斜して拡開された拡開部２３を経て水平状の頂部２４が設けられ、この頂部２４の外周縁にはリブ２５が曲折されてその先端２５ａはグリル４のフック４ｂを受ける係止部とされている。ここでこの拡開部２３には適宜の間隔を開けて補強リブを兼用した可動遮断部材５を円錐面に沿ってスライドさせる場合の係止部としての爪２６…が円筒内に向けて立設されているのが好ましい。この爪２６は、図８，９，１１に示され、図５，１０では省略されている。
【００３２】
外周筒部１８と止め金具収納枠部１２との間に形成された空間は止め金具収納部２７とされ、この止め金具収納部２７に、本体枠３を取付面材Ｂに固定するための止め金具が収納される。この止め金具は、例えば、リング板２８とねじ２９付きの可動支持板３０とから構成され、ねじ２９により上下する可動支持板３０の一端が開口１１から突出した状態で止め金具収納部２７に収納されている。
【００３３】
これにより、図１又は図１２に示すように、ねじ２９を調整することにより可動支持板３０は上下動して、石膏ボードなどの取付面材Ｂをフランジ部６と可動支持板３０とにより挟持して本体枠３が取付面材Ｂに固定される。また、グリル４を表面側からグリル収納壁９の内側に沿って収納させれば、フック４ｂがリブ２５の先端２５ａに係合されて固定される。ダクト連設部２には送給設備（送風装置）などの空調装置に接続された配管（ダクト）１２０が接続される。
【００３４】
このように構成された換気グリル１によれば、可動遮断部材５と円錐固定壁１４は円錐頂点を軸心とした位置で固定可能であり、可動遮断部材５を円錐固定壁１４に沿ってスライドさせることにより開口部１５の開口面積を所望の面積に簡単に調整することができる。また、この場合、可動遮断部材５の回転は、係止部材としての爪２６を利用すれば、可動遮断部材５の位置合わせが容易となり開口部１５の開口面積を微妙に調整するのが容易となる。
【００３５】
調整終了後には、ねじ１６を用いて可動遮断部材５を本体枠３に固定することができる。また、このねじ１６をわずかに緩めることにより可動遮断部材５を再び開口部１５に沿ってスライドすることができ、開口面積の再調整が可能となる。
【００３６】
また、この開口部１５は円錐側面に設けられているので居室側から目視した開口部１５の見かけの面積が小さくても、この開口部１５の実質的な開口面積は大きいので、開口面積の大きな風量調整部を備えた換気グリル１を提供することができる。
【００３７】
これにより、可動遮断部材５を回動させて適宜の位置で固定することにより開口部１５は全開状態から全閉状態まで任意に調整することができるので、このような複数の換気グリル１…をそれぞれの居室に備え、それぞれの居室の開口部１５の開口面積を所望の値に設定することにより、各居室に送給される空気量又は排出される空気量を所望の値に設定することができる。
【００３８】
また、これらの風量調整部は本体枠３の内部に配置されているので、風量調整部の開口度合いを外部から視認しやすい。また、ダクト連設部２の形状はいかなる形状でもよく、直線形状及びエルボ形状共に利用でき、この形状は１つの形状に限定されずに使用することができるので汎用性がある。
【００３９】
さらに、この発明の実施の形態では、円錐の頂角が略６０゜に設定され、居室側から目視した開口部１５と遮断部との見かけの面積の総和は、開口部１５が全開の場合の実質的な開口部１５の面積に略等しく設計されるので、遮断壁１９を設けることにより開口部１５の面積が半減されても、全開状態での開口面積は実質的に減少することがない。
【００４０】
また、風の流れる面を、キザ形状等がない滑らかなものにすることにより換気効率を高めることができる。
【００４１】
【発明の効果】
以上説明したように本発明に従えば、構造が簡単であり、開口面積の調整が簡単に行え、かつ、開口面積を大きく設定できる風量調整部を備えた汎用性のある換気グリルを提供することができる。
【図面の簡単な説明】
【図１】発明の実施の形態に係る換気グリルを取付面材Ｂに取り付けた状態を説明する図であり、図４のＸ−Ｘ線で切断した場合の断面図である。
【図２】図１の換気グリルを取付面材Ｂに取り付けた場合の側面図である。
【図３】図１の換気グリルを取付面材Ｂに取り付けた場合の正面図である。
【図４】図１の換気グリルを取付面材Ｂに取り付けた場合の裏面側よりみた底面図である。
【図５】本発明に係る換気グリルの主要部品を組み立て分解図により説明する図である。
【図６】図５の各部材を説明する図であり、本体枠３を表面側（室内側）より見た斜視図である。
【図７】図５の各部材を説明する図であり、本体枠３を裏面側より見た斜視図である。
【図８】図５の各部材を説明する図であり、可動遮断部材５を裏面側より見た斜視図である。
【図９】換気グリルを取り付けた場合の組み立て図であり、表面側（室内側）から見た部分透視図である。
【図１０】図９のＹ−Ｙ線で切断した場合の断面図である。
【図１１】図９のＺ−Ｚ線で切断した場合の断面図である。
【図１２】本発明の実施形態に係る換気グリルを取り付けた状態を説明する図である。
【図１３】従来の風量調整装置を示す斜視図である。
【図１４】従来の換気口を示す外観斜視図である。
【符号の説明】
Ｂ：取付面材
１：換気グリル
２：ダクト連設部
２Ａ：ダクト
３：本体枠
４：グリル（又はルーバ）
４ａ：裏面
４ｂ：フック
５：可動遮断部材
６：フランジ
７：溝部
８：補強リブ
９：グリル収納枠壁
１０：リング板
１１：開口
１２：止め金具収納枠壁
１３：調整弁収納枠壁
１３ａ：基部
１４：円錐固定壁（固定壁）
１５：開口部
１６：ねじ
１６ａ：ねじ溝
１７：固定部
１８：外周筒部
１９：遮断壁
２０：開口部
２１：貫通孔
２２：固定部
２３：拡開部
２４：頂部
２５：リブ
２５ａ：先端
２６：爪
２７：止め金具収納部
２８：リング板
２９：ねじ
３０：可動支持板
１２０：ダクト（配管）
【図１】
2004138263.tif 000003
【図２】
2004138263.tif 000004
【図３】
2004138263.tif 000005
【図４】
2004138263.tif 000006
【図５】
2004138263.tif 000007
【図６】
2004138263.tif 000008
【図７】
2004138263.tif 000009
【図８】
2004138263.tif 000010
【図９】
2004138263.tif 000011
【図１０】
2004138263.tif 000012
【図１１】
2004138263.tif 000013
【図１２】
2004138263.tif 000014
【図１３】
2004138263.tif 000015
【図１４】
2004138263.tif 000016